(57)【特許請求の範囲】
【請求項１】
スイッチ（１）のオン・オフを押ボタン（２）の押圧または回動押圧子（３）を回動させて行う電子機器のスイッチ構造であって、
前記スイッチと前記押ボタンとの間に前記回動押圧子を配設し、前記回動押圧子には横断面対角線方向に１対の腕（４）を設け、
前記電子機器の筐体（５）は、前記１対の腕を押し下げながら係止させる１対のストッパー（６）を備え、
前記腕は、前記回動押圧子を回動させる作動部（７）を備え、
前記回動押圧子の外周に復帰用ばね（８）を張架したことを特徴とする電子機器のスイッチ構造。
【発明の詳細な説明】
【０００１】
【発明の属する技術分野】
本発明は電子機器のスイッチ構造に係わり、特に、押ボタンスイッチに引き紐方式を併用する電子機器のスイッチ構造に関する。
【０００２】
【従来の技術】
従来、病人あるいは高齢者等、身体機能が低下した人用のトイレ等に設置される呼出しボタンには、押ボタンスイッチに引き紐方式を併用した電子機器のスイッチ構造が採用されている。
この種の電子機器のスイッチ構造は、図４（ａ）、（ｂ）に示すように、電子機器の筐体５０内で基板１０Bに搭載されたスイッチ１０をオン・オフさせるため、押ボタン２０が筐体５０の表面に配設され、この押ボタン２０に押圧子３０が突設されると共に、押ボタン２０の押圧による以外に、引き紐方式でスイッチ１０をオン・オフさせるため、押ボタン２０に紐固定部２９で固定され筐体５０外に引き出された紐７０と、筐体５０の外で引かれた紐７０の移動方向を押ボタン２０を押し下げる方向に変換する紐回転部９０と、紐引き出し溝７９から構成されている。
【０００３】
従来この種の電子機器のスイッチ構造において、押ボタン２０を押込むか、紐７０を引いて、スイッチ１０をオンさせる。
前者の場合、押ボタン２０に突設された押圧子３０がスイッチ１０を押し下げてオンすることができ、後者の場合、筐体５０の外から紐７０を引くと、紐引き出し溝７９の先端および紐回転部９０で紐７０の移動方向は、スイッチ１０を押圧する方向に変換され、紐固定部２９で押ボタン２０に固定されているため、押ボタン２０を押込んだときと同様に、押ボタン２０に突設された押圧子３０がスイッチ１０を押し下げオンすることができる。
【０００４】
【発明が解決しようとする課題】
上記従来の電子機器のスイッチ構造において紐７０で操作するためには、紐７０を引いた方向から押ボタン２０の押込み方向へ動作方向を変換させるために、紐回転部９０のような間接的な変換構造が必要であり、電子機器筐体内での動作方向の方向転換に伴う構造が複雑であるという難点があった。
【０００５】
本発明は上記のような従来のものの難点を除去するためになされたもので、押ボタンスイッチに引き紐方式を併用した電子機器のスイッチ構造において、押ボタンの押込み方向以外から紐７０を引いて操作する場合においても、簡単な構造で機器内のスイッチを操作できる電子機器のスイッチ構造を提供することを目的とする。
【０００６】
【課題を解決するための手段】
この目的を達成するため、本発明の電子機器のスイッチ構造は、スイッチのオン・オフを回動押圧子を回動させて行う電子機器のスイッチ構造であって、スイッチと電子機器の筐体との間に回動押圧子を配設し、回動押圧子には横断面対角線方向に1対の腕を設け、筐体は、１対の腕を押し下げながら係止させる１対のストッパーを備え、腕は、回動押圧子を回動させる作動部を備え、回動押圧子の外周に復帰用ばねを張架したものである。
【０００７】
この電子機器のスイッチ構造によれば、押ボタンの押込み操作以外に、紐を引いて操作する等の場合においても、構造は簡単である。
【０００８】
【発明の実施の形態】
以下、本発明の電子機器のスイッチ構造における好ましい実施の形態例を図面を参照して詳述する。
本発明の電子機器のスイッチ構造は、病人あるいは高齢者等、身体機能が低下した人用のトイレに設置される呼出しボタン等に採用される、押ボタンスイッチに引き紐方式を併用した電子機器のスイッチ構造である。
【０００９】
図１（ａ）に示すように、電子機器の筐体５内で基板１Bに搭載されたスイッチ１を押ボタン２でオン・オフさせるため、押ボタン２が筐体５の表面に配設され、押ボタン２の押込みをスイッチ１に伝達するため、押ボタン２とスイッチ１との間に回動押圧子３が配設され、回動押圧子３の外周はガイド９で実質的に囲繞されている。
【００１０】
図１（ａ）、（ｂ）、（ｃ）に示すように、スイッチ１を引き紐方式でオン・オフさせるため、回動押圧子３には、横断面対角線方向に１対の腕４、４が設けられ、１方の腕４には、回動押圧子３を回動させる作動部としての紐７が固定されている。
筐体５の内側部分５Cには、回動押圧子３が回動したときその外周で回動する腕４、４を押し下げながら係止させる１対のストッパー６、６が設けられ、さらに回動押圧子３の腕４より下の外周には復帰用ばね８が張架されている。
【００１１】
筐体５に設けられたストッパー６、６の内面６０は、図２（ｂ）に示すように、回動する腕４、４の進行方向に傾斜θを有している。
本発明による電子機器のスイッチ構造によれば、押ボタン２を押込むか、紐７を引いて、スイッチ１をオンさせる。
前者の場合、押ボタン２の内部に配設された回動押圧子３がスイッチ１を押し下げてオンすることができる。後者の場合、図２（ａ）に示すように、筐体５の外から紐７をＡ方向に引くと、ガイド９に支持された回動押圧子３は回動して、紐７が固定された腕４が右側は手前方向に、左側はＡ’方向に移動する。このとき腕４は、筐体５に設けられたストッパー６、６の内面６０の傾斜に沿って移動するため、筐体の内部方向に押されることになる。よって、図２（ｂ）に示すように、回動押圧子３も距離Ｌで示めされるように押し下げられ、スイッチ１をオンすることができる。
【００１２】
紐７を引く手を放すと、外周に張架された復帰用ばね８により、回動押圧子３は元の状態に戻り、スイッチ１の押圧は解除される。
上記実施例では、作動部として紐７を用いて説明したが、図３（ａ）に示すように、レバー７’を回動押圧子３から延設し、そのレバー７’を旋回させても好適である。また、図３（ｂ）に示すように、作動具７”と、作動具７”が係止される作動具受け３１を回動押圧子３に延設し、作動具受け３１に係止させた作動具７”を引っ張るようにしても同様に好適である。
【００１３】
【発明の効果】
以上の説明から明らかなように、本発明の電子機器のスイッチ構造によれば、スイッチのオン・オフを回動押圧子を回動させて行うにあたり、スイッチと電子機器の筐体との間に回動押圧子を配設し、回動押圧子には横断面対角線方向に1対の腕を設け、筐体は、１対の腕を押し下げながら係止させる１対のストッパーを備え、腕は、回動押圧子を回動させる作動部を備え、回動押圧子の外周に復帰用ばねを張架したので、押ボタン２の押込み操作以外に、紐を引いて操作する等の場合においても、途中で動作の方向転換が不要であり、簡単な構造で機器内のスイッチを操作できる。
【図面の簡単な説明】
【図１】  本発明の電子機器のスイッチ構造を説明する図で、（ａ）は断面構成図、（ｂ）は表面から見た図、（ｃ）は斜視図である。
【図２】（ａ）、（ｂ）は、本発明の電子機器のスイッチ構造の動作を説明する図である。
【図３】（ａ）、（ｂ）は、本発明の電子機器のスイッチ構造の他の実施例を説明する図である。
【図４】（ａ）、（ｂ）は、従来の電子機器のスイッチ構造を説明する図である。
【符号の説明】
１… スイッチ
２… 押ボタン
３… 回動押圧子
４… 腕
５… 筐体
６… ストッパー
７… 作動部
８… 復帰用ばね
【図１】
0003774576.tif 000002
【図２】
0003774576.tif 000003
【図３】
0003774576.tif 000004
【図４】
0003774576.tif 000005